(57)【特許請求の範囲】
【請求項１】
基幹部と先端部とを有する外枠と、外枠の先端部に取替え可能に取付けられるカッター刃と、外枠の基幹部に固着された活線操作棒接続部とを具備し、カッター刃が、一端で蝶ネジにより着脱可能に取付けられており、かつ、該蝶ネジを緩めてカッター刃を外枠の基幹部に沿う安全位置に収納保持可能としたことを特徴とする筍芯止め伐採工具。
【請求項２】
外枠が、先端部に凹部を有し、該凹部の底部にカッター刃が取付けられていることを特徴とする請求項１記載の筍芯止め伐採工具。
【請求項３】
外枠の先端部に、カッター刃を正規位置に保持させるストッパ部材が設置してあることを特徴とする請求項１又は請求項２記載の筍芯止め伐採工具。
【発明の詳細な説明】
【０００１】
【発明の属する技術分野】
本発明は、架空送電線保守業務の１つである筍伐採作業に使用する筍芯止め伐採工具に関するものである。
【０００２】
【従来の技術】
毎年、春から初夏にかけて筍が芽を出し、ぐんぐん伸びて成長するのは、誠に微笑ましいものであるが、架空送電線付近においては、成長した筍が送電線に接触して短絡事故等を招来する恐れがある。そのため、架空送電線の保守業務の１つとして、電力会社では、各支所の職員がその季節になると管轄区域内の架空送電線を巡回点検し、該当箇所を発見すると、伐採が行われている。筍は、先端を切断されると、その位置で伸びが止まるが、それより下の部分は、普通の竹と同様に枝葉を分岐支出して親竹に成長する性質をもつため、上記伐採に際し、架空送電線の架設箇所の土地所有者の意向や景観・環境上等の理由で、芽を出した筍を根元から伐採せずに、先端部だけを架空送電線に支障がない高さの位置で伐採することがある。これを、筍の芯止め伐採作業と称し、従来は、農作業等に使用される既存の鎌を活線作業棒の先端に結縛して伐採が行われてきた。
【０００３】
【発明が解決しようとする課題】
上記した筍の芯止め伐採作業は、地上から活線作業棒を操作して高所にある筍の先端を鎌で切断する必要があるため、作業が容易ではない上に、作業中に刃こぼれしたり、或いは、切断時に筍の切断面から滲み出す樹液が鎌の刃面に粘着して鎌の切れ味を直ぐに低下させ、頻繁に鎌の刃面を研ぐ必要があり、非常に煩瑣で作業効率も悪いという問題点があった。
【０００４】
そこで、本発明は、機能性向上を図り、効率良く伐採できる筍芯止め伐採工具を提供することを目的としている。
【０００５】
【課題を解決するための手段】
上記目的を達成するために、本発明の請求項１の筍芯止め伐採工具は、基幹部と先端部とを有する外枠と、外枠の先端部に取替え可能に取付けられるカッター刃と、外枠の基幹部に固着された活線操作棒接続部とを具備し、カッター刃が、一端で蝶ネジにより着脱可能に取付けられており、かつ、該蝶ネジを緩めてカッター刃を外枠の基幹部に沿う安全位置に収納保持可能としたことを特徴とする。この構成によって、予備のカッター刃を携行して巡回点検に出向くことにより、作業中の刃こぼれの発生時や、切れ味の低下があった際、カッター刃だけを取替えて伐採作業を遂行することができ、切れ味が向上し、かつ、刃面の研ぎ作業が不要となり、作業者の労力軽減と機能性の向上が図れ、この種、筍の芯止め伐採作業の効率を改善することができる。なお、カッター刃は、従来の鎌に比較して格安であり、消耗品として使い捨てにしても作業コスト全体に占めるコストは僅かであり、それよりも、作業者の労力軽減と作業効率の向上が図れる点で遥かに有利である。また、カッター刃の取替えに特別な工具を必要とせず、作業者の手指で直接、蝶ネジを締めたり緩めたりして取替えすることができると共に、持ち運び時には、カッター刃を安全な位置に収納保持させておくことができ、怪我や事故を防止することができるため、従来の鎌よりも安全性が向上する。
【０００６】
本発明の請求項２の筍芯止め伐採工具は、外枠が、先端部に凹部を有し、該凹部の底部にカッター刃が取付けられていることを特徴とする。この構成によって、筍の伐採時、外枠の先端部の凹部に筍の先端部を引掛けて活線操作棒を一気に手前に引くことにより、筍の先端を確実に伐採することができ、作業性の一層の向上が図れる。
【０００８】
本発明の請求項３の筍芯止め伐採工具は、外枠の先端部に、カッター刃を正規位置に保持させるストッパ部材が設置してあることを特徴とする。この構成によって、筍の先端の伐採時、カッター刃の逃げをストッパ部材で防止させて確実に伐採させることができる。
【０００９】
【発明の実施の形態】
以下、本発明の実施の形態について図面に基づいて説明する。図１の（Ａ）は本工具の正面図、（Ｂ）はその右側面図、（Ｃ）はその左側面図、（Ｄ）は（Ａ）のＤ−Ｄ断面図、（Ｅ）は平面図、（Ｆ）は本工具に活線操作棒を接続した状態を示す全体の概略図、図２の（Ａ）（Ｂ）は本工具による筍の伐採状態の前後の様子を示す概略説明図である。
【００１０】
図１において、１は外枠、２はカッター刃、３は活線操作棒接続部、４は蝶ネジ、５はストッパ部材、６は活線操作棒を示している。
【００１１】
外枠１は、先端部１ａと基幹部１ｂとを一連に有し、アルミ材で薄板状（例えば、厚さ６ｍｍ程度）に構成しているが、他の軽量材料や、鉄材、ステンレス材等で構成してもよい。先端部１ａは、凹部１ｃを有し、該凹部１ｃの底部にカッター刃２を取替え可能に取付けている。上記カッター刃２の取付け部分となる外枠１の先端部１ａの肉厚は、図１の（Ｄ）に示すように、反取付側の面で、カッター刃２の刃先２ａに向けて薄肉となるように傾斜させてあり、これによって、筍の伐採抵抗を軽減させている。上記凹部１ｃは、基幹部１ｂの先端から略直角に屈曲延長され、その延長端をさらに同方向に略直角に屈曲延長して形成されており、基幹部１ｂの先端付近にカッター刃２の取付け孔が形成してある。そして、上記凹部１ｃの内側幅寸法は、筍の最大直径よりも若干大きい程度としておくものである。また、凹部１ｃの入口内側には、筍の伐採時の案内傾斜面１ｄが形成されている。
【００１２】
カッター刃２は、薄板長方形状の刃物材料で構成され、一方の長辺に尖鋭な刃先２ａを全長に亘って形成してあるものを使用する。このカッター刃２は、例えば、市販品（オルファー社製カッター替刃等）を使用することができる。上記カッター刃２の一端には取付け孔が形成してあり、この取付け孔と外枠１の基幹部１ｂの先端付近に形成してある取付け孔とに蝶ネジ４を挿通して、カッター刃２を外枠１に取替え可能に取付けている。
【００１３】
活線操作棒接続部３は、図１の（Ａ）（Ｂ）に示すように、上半部に外枠１の基幹部１ｂに適宜数の取付ネジ７を介して固着される二股部３ａを有し、下半部に活線操作棒６の挿入孔３ｂを有するもので、外形が円形状とされ、外枠１と同一材料又は別の適宜の材料で構成される。上記挿入孔３ｂの挿入口となる下端には、略Ｌ字形の係止孔３ｃが形成されており、この係止孔３ｃに活線操作棒６の先端側面の係止ピン（図示省略）を係止させて抜け止めさせるようにしている。
【００１４】
蝶ネジ４は、カッター刃２の一端の取付け孔と外枠１の基幹部１ｂの先端付近の取付け孔とに挿通してカッター刃２を外枠１に取付けるためのものである。外枠１へのカッター刃２の取付けは、他の手段でもよいが、蝶ネジ４を使用することによって、カッター刃２の取替え時、特別な工具を必要とせず、作業者の手指で直接、蝶ネジ４を締めたり緩めたりして取替えすることができると共に、持ち運び時には、図１の( Ａ) に鎖線で示すように、カッター刃２を外枠１の基幹部１ｂに沿う安全な位置に収納保持させておく場合の利便性を向上させることもできる。
【００１５】
ストッパ部材５は、筍の先端の伐採時、カッター刃２の逃げを防止させて確実に伐採させるためのもので、図１の（Ｃ）に示すように、カッター刃２を外枠１の先端部１ａの正規位置に保持させるために、外枠１の先端部１ａの外側屈曲部付近に取付ネジ８を介して取付けられており、前記蝶ネジ４で一端を取付けられたカッター刃２の他端を受容する受入段部５ａを外枠１との間に形成させている。このストッパ部材５は、外枠１と同一材料又は別の適宜の材料で構成される。
【００１６】
活線操作棒６は、作業者が万一、本工具の先端を架空送電線（活線）に接触させた場合の感電事故を防止させるために、高度の電気絶縁性を備えた構造と材質で伸縮調節可能に構成されており、外枠１に固着してある活線操作棒接続部３の挿入孔３ｂに先端を挿入して接続されるもので、上記挿入孔３ｂの係止孔３ｃに対応させて、活線操作棒６の先端側面の係止ピン（図示省略）を突設し、両者を係止させて抜け止めされるものである。
【００１７】
本発明の工具は、以上の構成からなり、次に、図２を参照して、使用方法を説明する。先ず、図１の（Ｆ）に示すように、活線操作棒６の先端に本工具を接続し、図２の( Ａ) に示すように、芯止めする筍９の切断高さに合せて活線操作棒６の長さを調節し、外枠１の先端部１ａの凹部１ｃを筍９に引掛けて活線操作棒６を手前に強く引く。これにより、図２の（Ｂ）に示すように、筍９の先端を伐採する。先端を伐採した筍９は、伸びが停止するが、成長は続けるため、やがて親竹１０と同様となり、架空送電線１１に接触することが防止される。
【００１８】
本発明の実施の形態は以上の通りであるが、外枠１の形状は、鎌と同様な形状として実施してもよく、また、外枠１と活線操作棒接続部３とを一体化して製作してもよい。
【００１９】
【発明の効果】
請求項１の発明によれば、予備のカッター刃を携行して巡回点検に出向くことにより、作業中の刃こぼれの発生時や、切れ味の低下があった際、カッター刃だけを取替えて伐採作業を遂行することができ、切れ味が向上し、かつ、刃面の研ぎ作業が不要となり、作業者の労力軽減と機能性の向上が図れ、この種、筍の芯止め伐採作業の効率を改善することができる。なお、カッター刃は、従来の鎌に比較して格安であり、消耗品として使い捨てにしても作業コスト全体に占めるコストは僅かであり、それよりも、作業者の労力軽減と作業効率の向上が図れる点で遥かに有利である。
【００２０】
また、請求項２の発明によれば、筍の伐採時、外枠の先端部の凹部に筍の先端部を引掛けて活線操作棒を一気に手前に引くことにより、筍の先端を確実に伐採することができ、作業性の一層の向上が図れる。
【００２１】
更に、請求項３の発明によれば、カッター刃の取替えに特別な工具を必要とせず、作業者の手指で直接、蝶ネジを締めたり緩めたりして取替えすることができると共に、持ち運び時には、カッター刃を安全な位置に収納保持させておくことができ、怪我や事故を防止することができるため、従来の鎌よりも安全性が向上する。
【００２２】
また、請求項４の発明によれば、筍の先端の伐採時、カッター刃の逃げをストッパ部材で防止させて確実に伐採させることができる。
【図面の簡単な説明】
【図１】（Ａ）は本工具の正面図、（Ｂ）はその右側面図、（Ｃ）はその左側面図、（Ｄ）は（Ａ）のＤ−Ｄ断面図、（Ｅ）は平面図、（Ｆ）は本工具に活線操作棒を接続した状態を示す全体の概略図。
【図２】（Ａ）（Ｂ）は本工具による筍の伐採状態の前後の様子を示す概略説明図。
【符号の説明】
１    外枠
１ａ  先端部
１ｂ  基幹部
１ｃ  凹部
１ｄ  案内傾斜面
２    カッター刃
２ａ  刃先
３    活線操作棒接続部
３ａ  二股部
３ｂ  挿入孔
３ｃ  係止孔
４    蝶ネジ
５    ストッパ部材
５ａ  受入段部
６    活線操作棒
７    取付ネジ
８    取付ネジ
９    筍
１０  親竹
１１  架空送電線
【図１】
0004346788.tif 000002
【図２】
0004346788.tif 000003